(57)【要約】【課題】フェムトセルによるマクロセルと無線通信端末との間の通信への干渉を回避する技法を提供する。【解決手段】移動体通信システムの基地局（100）は、移動体通信システムの公衆基地局（200）と通信可能な無線通信端末を接続可能な接続部（170）、自局に対して接続要求を受けると、接続部（170）を介して接続される無線通信端末（400）に公衆基地局（200）との通信を開始させて公衆基地局（200）との無線通信に関する状態を計測させるとともに、無線通信端末（400）から該計測した第１無線情報を取得し、接続要求に対応して開始した通信が終了すると、接続部（170）を介して接続される無線通信端末（400）に公衆基地局（200）との通信を開始させて公衆基地局（200）との無線通信に関する状態を計測させるとともに、無線通信端末（400）から該計測した第２無線情報を取得し、第１無線情報及び第２無線情報に基づいて、公衆基地局（200）に対する干渉の有無を判定する制御部（110）を備える。【選択図】図１
2010177922.tif 000002
【特許請求の範囲】
【請求項１】
移動体通信システムの基地局であって、
前記移動体通信システムの公衆基地局と通信可能な無線通信端末を接続可能な接続部と、
自局に対して接続要求を受けると、前記接続部を介して接続される前記無線通信端末に前記公衆基地局との通信を開始させて該公衆基地局との無線通信に関する状態を計測させるとともに、前記無線通信端末から該計測した第１無線情報を取得し、
前記接続要求に対応して開始した通信が終了すると、前記接続部を介して接続される前記無線通信端末に前記公衆基地局との通信を開始させて該公衆基地局との無線通信に関する状態を計測させるとともに、前記無線通信端末から該計測した第２無線情報を取得し、
前記第１無線情報及び第２無線情報に基づいて、前記公衆基地局に対する干渉の有無を判定する制御部と、
を備えることを特徴とする基地局。
【請求項２】
請求項１に記載の基地局において、
前記制御部は、
前記第１無線情報及び第２無線情報に含まれる前記無線通信端末の送信電力差に基づいて、前記公衆基地局に対する干渉の有無を判定する、
ことを特徴とする基地局。
【請求項３】
請求項１に記載の基地局において、
前記制御部は、
前記第１無線情報及び第２無線情報に含まれる前記無線通信端末が通信を行った際の変調方式の違いに基づいて、前記公衆基地局に対する干渉の有無を判定する、
ことを特徴とする基地局。
【請求項４】
請求項１に記載の基地局において、
前記制御部は、
前記第１無線情報及び第２無線情報に含まれる前記無線通信端末の受信品質の差に基づいて、前記公衆基地局に対する干渉の有無を判定する、
ことを特徴とする基地局。
【請求項５】
請求項１〜４のいずれか一項に記載の基地局において、
前記制御部は、
前記公衆基地局に対して干渉があると判定すると、自局が使用する周波数帯域を変更する、
ことを特徴とする基地局。
【請求項６】
請求項１〜４のいずれか一項に記載の基地局において、
前記制御部は、
前記公衆基地局に対して干渉があると判定すると、自局と通信している無線通信端末の送信電力を抑制するように制御する、
ことを特徴とする基地局。
【請求項７】
移動体通信システムの基地局の制御方法であって、
前記移動体通信システムの公衆基地局と通信可能な無線通信端末を自局の接続部に接続するステップと、
自局に対して接続要求を受けると、前記接続するステップにて前記接続部に接続される前記無線通信端末に前記公衆基地局との通信を開始させて該公衆基地局との無線通信に関する状態を計測させるとともに、前記無線通信端末から該計測した第１無線情報を取得するステップと、
前記接続要求に対応して開始した通信が終了すると、前記接続するステップにて前記接続部に接続される前記無線通信端末に前記公衆基地局との通信を開始させて該公衆基地局との無線通信に関する状態を計測させるとともに、前記無線通信端末から該計測した第２無線情報を取得するステップと、
前記第１無線情報及び第２無線情報に基づいて、前記公衆基地局に対する干渉の有無を判定するステップと、
を含むことを特徴とする基地局の制御方法。
【発明の詳細な説明】
【技術分野】
【０００１】
本発明は、基地局、基地局の制御方法に関し、特に、一般回線を介して移動体通信網に接続する基地局（フェムトセル）、基地局の制御方法に関する。
【背景技術】
【０００２】
近年、移動対通信システムにおいて、ブロードバンド回線の普及や通信機器の小型化技術の進化を受け、フェムトセルと呼ばれる、従来の広域基地局（公衆基地局、マクロセル）に比べてごく小さいエリアをカバーする基地局の開発が行われている。フェムトセルは、例えば家の中や小さなオフィス等に設置される契約者専用の超小型基地局で、各家庭に引込まれている一般回線（ADSLなどのブロードバンド回線）を介して移動体通信網に接続される。一般回線はアクセス回線として広く一般に普及しているため、マクロセルのエリア外だったユーザでも、ブロードバンド回線があればマクロセルと同様の携帯電話サービス（通話、メール機能、SMS（Short Message Service）、ＷＥＢブラウジング等）を安価でかつ容易に使用できるようになる。
【０００３】
また、フェムトセルは予め登録された端末にのみ利用させることが望ましいとされているため、限定された利用者で専用のフェムトセルを占有することができる。したがって、複数のユーザにより混雑するマクロセルと比べ、より高速、高品質なデータ通信環境が得られる等の利点があり、今後大きな普及が見込まれる。このような背景により、第３世代（３Ｇ）や第３．９世代（３．９Ｇ）及びIMT-ADVANCEDにおいては、屋外の公衆基地局と屋内のフェムトセルの組み合わせは必須になっていくものと予想される。
【０００４】
なお、従来、マクロセルにおいて、マクロセル同士の電波干渉の発生を避ける効率的なセル配置（セル設計）が必須である。従って、通信事業者は、地形的な要因や、送信電力、利用周波数等のデータを用いて事前にシミュレーションを行ない、電波干渉のないセル設計を行っている。それに対し、フェムトセルは、フェムトセルの利用契約者が個別に設置するものであるため、フェムトセルの設置については、他の基地局（フェムトセルやマクロセル）に与え得る影響（干渉等）の事前調査が十分に行われない。すなわち、フェムトセルによってマクロセルへの電波干渉が発生するおそれがある。
【０００５】
このような、フェムトセルによるマクロセルへの電波干渉の具体的な例について、図を用いて説明する。なお、これ以降、フェムトセルと通信中の無線通信端末を「フェムトセル通信端末」、マクロセルと通信中の無線通信端末を「マクロセル通信端末」と称する。図９は、フェムトセル通信端末からの電波によって、マクロセル通信端末とマクロセルとの間の通信が干渉を受ける場合を説明する図である。図９のように、フェムトセル１００は、一般回線（ブロードバンド）ＮＥＴを介して移動体通信網に接続されている。このフェムトセル１００に対してフェムトセル通信端末３００から送信された送信信号（電波）が、フェムトセル１００だけでなく、マクロセル２００によって受信される場合、この電波は、マクロセル２００にとって妨害波となる。この妨害波により、マクロセル２００とマクロセル通信端末５００との間の通信環境が悪化する。
【０００６】
また、図１０は、フェムトセル１００からの電波によって、マクロセル通信端末５００とマクロセルとの間の通信が干渉を受ける場合を説明する図である。例えば、フェムトセル１００の内部故障により、スプリアス信号等受信に障害となる電波が送信された場合、この電波は、フェムトセル１００近傍のマクロセル通信端末５００にとって妨害波となる。また、フェムトセル通信端末３００へのフェムトセル１００からの電波そのものが、妨害波となる場合も考えられる。この妨害波により、マクロセル２００とマクロセル通信端末５００との間の通信環境が悪化する。
【０００７】
このような電波干渉を回避する従来技術として、無線ＬＡＮにおいて、利用可能な周波数帯が動的に選択されるＤＦＳ（Dynamic Frequency Selection：動的周波数選択）機能、送信電力が動的に調整されるＴＰＣ（Traffic Power Control）機能等がある（例えば、特許文献１を参照）。
【先行技術文献】
【特許文献】
【０００８】
【特許文献１】特開２００７−２７４６５９号公報
【発明の概要】
【発明が解決しようとする課題】
【０００９】
このような技術は、無線ＬＡＮにかぎらず、携帯端末向けのフェムトセルへも搭載が検討されている。しかしながら、これら従来技術では、無線ＬＡＮのアクセスポイントが、受信機能を用いてそれ自体が識別可能な状況にのみ対応して通信が最適化される。すなわち、無線ＬＡＮのアクセスポイントからの電波が実際に周囲の通信に干渉を与えているか否かは判定することができない。上述したように、通信事業者は、利用者に対し常に品質の高い電波環境を提供できるよう、シミュレーションを行ってマクロセルを最適に配置している。この電波環境がフェムトセルによって影響を及ぼされることは、利用者の利便性を大きく損ねることになる。しかしながら、フェムトセルからの干渉をも考慮して設置場所の制約やシミュレーションの実施などを行なうことは、自由に設置可能なフェムトセルの性質を考えると得策ではない。従って、フェムトセルで要求される電波干渉の回避技術は、従来技術のようなフェムトセル自体の通信の最適化だけでなく、マクロセルに干渉を与えないことが不可欠となる。
【００１０】
また、フェムトセルは一般回線に接続され、ネットワーク上の通信事業者のサーバによって送信電力等が管理されることが想定されるが、フェムトセルの数が多くなれば、管理するサーバに負荷がかかる。よって、サーバによる管理の負担を軽減することも必要となる。
【００１１】
従って、本発明の目的は、基地局（フェムトセル）による公衆基地局（マクロセル）と無線通信端末との間の通信への干渉を基地局（フェムトセル）自体が検出し、その干渉を回避する基地局（フェムトセル）、基地局の制御方法を提供することを目的とする。
【課題を解決するための手段】
【００１２】
上述した諸課題を解決すべく、移動体通信システムの基地局（フェムトセル）は、
前記移動体通信システムの公衆基地局（マクロセル）と通信可能な無線通信端末を（有線又は無線で）接続可能な接続部と、
自局に対して接続要求を受けると、前記接続部を介して接続される前記無線通信端末に前記公衆基地局（マクロセル）との通信を開始させて該公衆基地局（マクロセル）との無線通信に関する状態を計測させるとともに、前記無線通信端末から該計測した第１無線情報を取得し、
前記接続要求に対応して開始した（自局との）通信が終了すると、前記接続部を介して接続される前記無線通信端末に前記公衆基地局（マクロセル）との通信を開始させて該公衆基地局（マクロセル）との無線通信に関する状態を計測させるとともに、前記無線通信端末から該計測した第２無線情報を取得し、
前記第１無線情報及び第２無線情報に基づいて、前記公衆基地局に対する干渉の有無を判定する制御部とを備えることを特徴とする。
【００１３】
また、本発明の一実施形態による移動体通信システムの基地局（フェムトセル）は、
前記制御部は、
前記第１無線情報及び第２無線情報に含まれる前記無線通信端末の送信電力差に基づいて、前記公衆基地局に対する干渉の有無を判定することを特徴とする。
【００１４】
また、本発明の別の実施形態による移動体通信システムの基地局（フェムトセル）は、
前記制御部は、
前記第１無線情報及び第２無線情報に含まれる前記無線通信端末が通信を行った際の変調方式の違いに基づいて、前記公衆基地局に対する干渉の有無を判定することを特徴とする。
【００１５】
本発明の別の実施形態による移動体通信システムの基地局（フェムトセル）は、
前記制御部は、
前記第１無線情報及び第２無線情報に含まれる前記無線通信端末の受信品質の差に基づいて、前記公衆基地局に対する干渉の有無を判定することを特徴とする。
【００１６】
本発明の別の実施形態による移動体通信システムの基地局（フェムトセル）は、
前記制御部は、
前記公衆基地局に対して干渉があると判定すると、自局が使用する周波数帯域を変更することを特徴とする。
【００１７】
本発明の別の実施形態による移動体通信システムの基地局（フェムトセル）は、
前記制御部は、
前記公衆基地局に対して干渉があると判定すると、自局と通信している無線通信端末の送信電力を抑制するように制御することを特徴とする。
【００１８】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。なお、下記の方法やプログラムの各ステップは、データの処理においては必要に応じて、CPU、DSPなどの演算処理装置を使用するものであり、入力したデータや加工・生成したデータなどをHDD、メモリなどの記憶装置に格納するものである。
【００１９】
例えば、本発明を方法として実現した、移動体通信システムの基地局の制御方法は、
前記移動体通信システムの公衆基地局（マクロセル）と通信可能な無線通信端末を自局の接続部に接続するステップと、
自局に対して接続要求を受けると、前記接続するステップにて前記接続部に接続される前記無線通信端末に前記公衆基地局（マクロセル）との通信を開始させて該公衆基地局（マクロセル）との無線通信に関する状態を計測させるとともに、前記無線通信端末から該計測した第１無線情報を取得するステップと、
前記接続要求に対応して開始した（自局との）通信が終了すると、前記接続するステップにて前記接続部に接続される前記無線通信端末に前記公衆基地局（マクロセル）との通信を開始させて該公衆基地局（マクロセル）との無線通信に関する状態を計測させるとともに、前記無線通信端末から該計測した第２無線情報を取得するステップと、
前記第１無線情報及び第２無線情報に基づいて、前記公衆基地局に対する干渉の有無を判定するステップとを含むことを特徴とする。
【発明の効果】
【００２０】
本発明によれば、基地局（フェムトセル）による公衆基地局（マクロセル）と無線通信端末との間の通信への干渉を基地局（フェムトセル）自体が検出し、その干渉を回避する基地局（フェムトセル）、基地局の制御方法を提供することが可能となる。
【図面の簡単な説明】
【００２１】
【図１】本発明による移動体通信システムの基地局（フェムトセル）の概略ブロック図である。
【図２】測定端末の概略ブロック図である。
【図３】本発明の一実施態様による、フェムトセル１００の干渉回避について説明する概略図である。
【図４】図９のマクロセル通信端末５００を測定端末４００で擬似的に実現させた場合の概略図である。
【図５】図１０のマクロセル通信端末５００を測定端末４００で擬似的に実現させた場合の概略図である。
【図６】測定端末４００の動作フローチャートの一例である。
【図７】フェムトセル１００の動作フローチャートの一例である。
【図８】フェムトセル通信端末３００、フェムトセル１００、測定端末４００及びマクロセル２００の間のシーケンス図である。
【図９】フェムトセル通信端末からの電波によって、マクロセル通信端末とマクロセルとの間の通信が干渉を受ける場合を説明する図である。
【図１０】フェムトセル１００からの電波によって、マクロセル通信端末とマクロセルとの間の通信が干渉を受ける場合を説明する図である。
【発明を実施するための形態】
【００２２】
以降、諸図面を参照しながら、本発明の実施態様を詳細に説明する。図１は、本発明による移動体通信システムの基地局（フェムトセル）の概略ブロック図である。ここで、移動体通信システムとしては、ＣＤＭＡ２０００  １ｘＥＶ−ＤＯ、Ｗ−ＣＤＭＡ方式（ＨＳＤＰＡ等）、ＬＴＥ等に本発明を適用可能である。
【００２３】
図１に示すように、フェムトセル１００は、制御部１１０、増幅部１２０、ＲＦ（無線）信号処理部１３０、変調部１４０、ＧＰＳインタフェース１５０、ＬＡＮインタフェース１６０、測定端末接続部１７０、及びアンテナＡＮＴ１，ＡＮＴ２を備える。アンテナＡＮＴ１は、無線通信端末との間で通信を行なうための電波の送受信を行なう。ＲＦ信号処理部１３０は、ＲＦ信号を送受信するためのフロントエンド処理を行なう。変調部１４０は、ＲＦ信号を送受信するためのベースバンド処理を行なう。増幅部１２０は、これらの送受信信号を増幅する。ＧＰＳインタフェース１５０は、フェムトセル１００の時刻同期や位置測定を、アンテナＡＮＴ２を介して行なう。ＬＡＮインタフェース１６０は、ルータ等を介して一般回線（ＡＤＳＬなどのブロードバンド回線）に接続される。また、測定端末接続部１７０は、後述する測定端末に接続される。なお、フェムトセルの時刻同期や位置測定は、ＧＰＳを用いるものでなく、ブロードバンド回線を介してサーバから同期信号を受信してもよいし、フェムトセル１００のユーザが予めフェムトセル１００の設置位置をサーバに登録させてもよい。制御部１１０は、これら各機能部の制御を司り、後述する各種判定処理も行なう。
【００２４】
次に、測定端末について説明する（詳細は後述する）。図２は、測定端末の概略ブロック図である。測定端末４００は、移動体通信システムの公衆基地局（マクロセル）と通信可能な無線通信端末である。図２に示すように、測定端末４００は、制御部４１０、増幅部４２０、ＲＦ信号処理部４３０、変調部４４０、入力部（ボタン、タッチパネル等）４５０、フェムトセル接続部４６０、マイクＭＩＣ、スピーカＳＰ及びアンテナＡＮＴ３を備える。アンテナＡＮＴ３は、マクロセルと測定端末４００との間で通信を行なうための電波の送受信を行なう。ＲＦ信号処理部４３０は、ＲＦ信号を送受信するためのフロントエンド処理を行なう。変調部４４０は、ＲＦ信号を送受信するためのベースバンド処理を行なう。増幅部４２０は、これらの送受信信号を増幅する。マイクＭＩＣ、スピーカＳＰ及び入力部４５０は、携帯端末のユーザインタフェースである。また、フェムトセル接続部４６０は、フェムトセル１００の測定端末接続部１７０に接続される。制御部４１０は、これら各機能部の制御を司る。
【００２５】
次に、本発明の一実施態様による、フェムトセル１００の干渉回避について説明する。図９及び１０で示すように、フェムトセル１００と通信中のフェムトセル通信端末３００やフェムトセル１００自体から送信された電波が、マクロセル２００とマクロセル通信端末５００との間の通信に干渉を与える場合がある。本発明では、このような状況をフェムトセル１００自体で判定し、フェムトセル１００によって干渉回避動作が行なわれる。
【００２６】
一般に、移動体通信システムでは、マクロセル通信端末５００からの上り電波が弱くなると、マクロセル２００によって、例えば制御チャネル等を用いて通信を維持するための指示がマクロセル通信端末５００へ送信される。この指示としては、マクロセル通信端末５００の送信パワーの増加や、よりエラー耐性の強い変調方式への変更等が含まれる。指示を受けたマクロセル通信端末５００は、指示に応じて送信パワーや変調方式を変化させる。すなわち、フェムトセル１００によって干渉が生じた場合は、マクロセル２００とマクロセル通信端末５００との間の通信に何らかの変化が生じる。本発明は、このマクロセル２００とマクロセル通信端末５００との間の上記のような指示に基づく無線状態の変化を検知し、マクロセル２００での電波障害の発生の有無を判定する。
【００２７】
具体的に図を用いて説明する。図３は、本発明の一実施態様による、フェムトセル１００の干渉回避について説明する概略図である。図３に示すように、本発明では、マクロセル２００と通信可能な無線通信端末（測定端末）４００が、フェムトセル１００にケーブルＣＢを介して接続される。そして、測定端末４００は、フェムトセル１００の制御に応じてマクロセル２００との間で無線通信を行ない、マクロセル２００との間の無線情報（変調方式や送信電力等）をフェムトセル１００に報知する。フェムトセル１００は、測定端末４００から報知された無線情報から、マクロセル２００に対して自局に基づく通信により干渉が発生したか否かを判定し、干渉を回避するよう自局の通信を制御する。これにより、サーバ等を介することなく、フェムトセル１００単独で、マクロセル２００に対する干渉を回避することが出来る。
【００２８】
すなわち、本発明では、図９及び１０に示すような、マクロセルとの間の通信が干渉を受けるマクロセル通信端末５００を、測定端末４００で擬似的に実現させる。図４及び５に、図９及び１０のマクロセル通信端末５００を測定端末４００で擬似的に実現させた場合をそれぞれ示す。図のように、測定端末４００とフェムトセル１００とは、それぞれのフェムトセル接続部４６０と測定端末接続部１７０とが、ケーブルＣＢによって接続されている。なお、図４及び５では、測定端末４００がフェムトセル１００のセル境界近傍に位置する態様を示したが、本発明はこれに限られるものではない。例えば、測定端末４００をフェムトセル１００に近接させ、後述する干渉有無の判定時に、マクロセル２００と測定端末４００との間の距離を考慮して重み付けをしてもよい。
【００２９】
次に、フローチャート及びシーケンス図を用いて、本発明の一実施態様によるフェムトセル１００の干渉回避について説明する。図６は、測定端末４００の動作フローチャート、図７は、フェムトセル１００の動作フローチャートの一例である。また、図８は、フェムトセル通信端末３００、フェムトセル１００、測定端末４００及びマクロセル２００の間のシーケンス図である。
【００３０】
測定端末４００は、フェムトセル接続部４６０でフェムトセル１００と接続されると、図６に示すフローチャートを開始する。制御部４１０は、フェムトセル１００からマクロセル探索指示があるか否かを判定する（ステップＳ１１）。指示があると判定すると、制御部４１０は、位置登録するマクロセルを検出するまでマクロセルを探索する（ステップＳ１２，Ｓ１３）。マクロセルがあると判定された場合は、制御部４１０は、検出し、位置登録したマクロセルの情報を含むマクロセル探索結果を報告する（ステップＳ１４）。その後、測定端末４００は、フェムトセル１００からマクロセルへの接続指示があるまで待機する（ステップＳ１５）。
【００３１】
制御部４１０は、フェムトセル１００からマクロセルへの接続指示があると判定すると、マクロセル２００へ接続する（ステップＳ１６）。そして、制御部４１０は、マクロセル２００との間の無線状態を計測し、計測した無線状態に関する情報（無線情報）をフェムトセル１００へ報告する（ステップＳ１７）。この計測及び報告は、フェムトセル１００からマクロセルとの切断指示があるまで繰返される（ステップＳ１８）。制御部４１０は、ステップＳ１８でマクロセルとの切断指示ありと判定すると、ステップＳ１９でケーブルＣＢとの接続、すなわちフェムトセル１００とのフェムトセル接続部４６０を介した接続が解除されるまで、ステップＳ１５〜Ｓ１８の処理を繰返す。なお、ステップＳ１９からステップＳ１１へループしてもよい。
【００３２】
次に、フェムトセル１００の動作について説明する。フェムトセル１００は、測定端末４００が測定端末接続部１７０を介して自局に接続されている状態で、図７に示すフローチャートを開始する。まず、制御部１１０は、測定端末４００にマクロセルを探索するよう指示をだす（ステップＳ２１）。そして、測定端末４００からマクロセルを検出した旨のマクロセル探索結果を受信するまで指示を続ける（ステップＳ２２）。ステップＳ２２でマクロセル探索結果を受信すると、制御部１１０は、フェムトセル通信端末から自局に対する接続要求を受けたか否かを判定する（ステップＳ２３）。ステップＳ２３にて接続要求ありと判定されると、制御部１１０は、測定端末４００がマクロセル２００と通信中であるか否かを判定する（ステップＳ２４）。
【００３３】
ステップＳ２４にて、測定端末４００がマクロセル２００と通信中でないと判定されると、制御部１１０は、測定端末４００に、マクロセルへ接続するよう指示し、マクロセル２００との通信を開始させる（ステップＳ２５）。さらに、制御部１１０は、自局が備えるタイマをスタートさせる（ステップＳ２６）。その後、制御部１１０は、ステップＳ２８にてタイマが満了したと判定されるまで、測定端末４００を制御して、測定端末４００とマクロセル２００との間の無線通信に関する状態を計測させるとともに、測定端末４００によって計測された無線情報を、第１無線情報として取得（受信）する（ステップＳ２７）。無線情報には、測定端末４００の送信パワー、マクロセル２００から測定端末４００に送信された測定端末４００の送信パワーを制御する制御用信号、測定端末４００の送信で用いる変調方式などが含まれる。この、フェムトセル１００とフェムトセル通信端末３００との間の通信が行われている間の、マクロセル２００と測定端末４００との間の無線状態の計測を、「無線状態計測Ａ」とする。なお、ステップＳ２４にて、測定端末４００がマクロセル２００と通信中であると判定された場合は、ステップＳ２３で接続要求ありと判定されたフェムトセル通信端末とは別のフェムトセル通信端末に対して、無線状態計測Ａが開始されていることになる。この場合は、無線状態計測Ａにおける第１無線情報のログ（計測時間と無線状態が記述されている）に基づいて、各フェムトセル通信端末の影響を別個に判定することができる。
【００３４】
ステップＳ２８にてタイマが満了すると、フェムトセル１００の制御部１１０は、測定端末４００に、マクロセル２００からの切断を指示する（ステップＳ２９）。そして、制御部１１０は、自局と通信中のフェムトセル通信端末からの切断要求があるか否かを判定する（ステップＳ３０）。ステップＳ３０にて切断要求ありと判定されると、制御部１１０は、測定端末４００がマクロセル２００と通信中であるか否かを判定する（ステップＳ３２）。
【００３５】
ステップＳ３２にて、測定端末４００がマクロセル２００と通信中でないと判定されると、制御部１１０は、測定端末４００に、マクロセルへ接続するよう指示し、マクロセル２００との通信を開始させる（ステップＳ３２）。さらに、制御部１１０は、タイマをスタートさせる（ステップＳ３３）。その後、制御部１１０は、ステップＳ３５にてタイマが満了したと判定されるまで、測定端末４００を制御して、測定端末４００とマクロセル２００との間の無線通信に関する状態を計測させるとともに、測定端末４００によって計測された無線情報を、第２無線情報として取得（受信）する（ステップＳ３４）。この、フェムトセル１００とフェムトセル通信端末３００との間の通信が行われていない間の、マクロセル２００と測定端末４００との間の無線状態の計測を、「無線状態計測Ｂ」とする。なお、ステップＳ３１にて、測定端末４００がマクロセル２００と通信中であると判定された場合は、ステップＳ３０で切断要求ありと判定されたフェムトセル通信端末とは別のフェムトセル通信端末に対して、無線状態計測Ｂ（又はＡ）が開始されていることになる。この場合も、無線状態計測Ａと同様に、第２無線情報のログ（計測時間と無線状態が記述されている）に基づいて、各フェムトセル通信端末の影響を別個に判定することができる。
【００３６】
その後、制御部１１０は、測定端末４００に、マクロセル２００から切断するよう指示し（ステップＳ３５）、無線状態計測Ａ及びＢでそれぞれ取得した第１無線情報及び第２無線情報から、フェムトセル１００が干渉を与えているか否かを判定する（ステップＳ３７）。
【００３７】
ここで、干渉の有無の判定について説明する。例えば、測定端末４００の送信パワーを用いて判定する場合について説明する。この場合は、フェムトセル通信端末３００とフェムトセル１００との通信が行われていない無線状態計測Ｂでの平均送信パワーTxaveBと、フェムトセル通信端末３００とフェムトセル１００とが通信中の無線状態計測Ａでの平均送信パワーTxaveAとを比較する。そして、これら平均送信パワーの差分が所定の閾値Txdiff以上となった場合は、フェムトセル通信端末３００とフェムトセル１００との通信中に測定端末４００が送信パワーを上げたこと、すなわち、フェムトセルの干渉を受けたことになる。よって、以下の式を満たす場合に、干渉が発生していると判定される。
【００３８】
【数１】
2010177922.tif 000003
【００３９】
また、干渉の有無の判定には、測定端末４００の受信品質（ＳＩＲ：Signal to Interference power Ratio）を用いることもできる。この場合は、フェムトセル通信端末３００とフェムトセル１００との通信が行われていない無線状態計測Ｂでの平均受信品質SIRaveBと、フェムトセル通信端末３００とフェムトセル１００とが通信中の無線状態計測Ａでの平均受信品質SIRaveAとを比較する。これらの平均受信品質の差分が所定の閾値SIRdiff以上となった場合は、フェムトセル通信端末３００とフェムトセル１００との通信中に測定端末４００が受信品質が低下したこと、すなわち、フェムトセルの干渉を受けたことになる。よって、以下の式を満たす場合に、干渉が発生していると判定される。
【００４０】
【数２】
2010177922.tif 000004
【００４１】
ステップＳ３７にて、上述のような処理により干渉があると判定された場合は、制御部１１０は、自局を制御して、干渉を回避させる処理を行なう（ステップＳ３８）。すなわち、フェムトセル１００は、フェムトセル１００が使用する周波数帯域を変更したり、自局と通信している無線通信端末の送信電力の抑制したりして、干渉を回避する。
【００４２】
なお、干渉の有無の判定には、上述のものに限らず、測定端末４００のＳＮＲ（Signal to Noise power Ratio）及び変調方式の違いに基づいて行ってもよい。後者の場合には、例えば、無線状態計測Ａにおける変調方式が、無線状態計測Ｂにおける変調方式よりもエラー訂正能力の高いものである場合に、フェムトセル１００による干渉が発生していると判定される。
【００４３】
次に、シーケンス図を用いて説明する。図８は、フェムトセル通信端末３００、フェムトセル１００、測定端末４００及びマクロセル２００の間のシーケンス図である。まず、測定端末４００は、図６のステップＳ１１〜Ｓ１４を経て、マクロセル２００へ待ち受け状態となっている。ここで、フェムトセル通信端末３００が、フェムトセル１００へ接続要求を送信する（ステップＴ１１）。フェムトセル１００は、接続要求を受けて、測定端末４００に、マクロセル２００へ接続を開始するよう指示する（ステップＴ１２）。接続開始指示を受けた測定端末４００は、マクロセル２００に接続し（ステップＴ１３）、測定端末４００とマクロセル２００とで通信が確立される（ステップＰ１１）。また、フェムトセル通信端末３００とフェムトセル１００との間でも通信が確立される（ステップＰ１２）。この状態で、フェムトセル１００は、測定端末４００を制御して、測定端末４００とマクロセル２００との間の無線通信に関する状態を計測させるとともに、測定端末４００によって計測された無線情報を、第１無線情報として取得する（無線状態計測Ａ、ステップＳ２７）。すなわち、測定端末４００は、マクロセル２００との間の無線状態を、フェムトセル１００に定期的に報告する（無線情報報告ステップＴ１４，Ｔ１５）。その後、タイマが満了すると、フェムトセル１００の制御部１１０は、測定端末４００に、マクロセル２００からの切断を指示する（ステップＴ１６）。切断指示を受けた測定端末４００は、マクロセル２００との間の通信を切断し（ステップＴ１７）、待ち受け状態となる（ステップＰ１３）。
【００４４】
その後、フェムトセル通信端末３００が、フェムトセル１００へ切断要求を送信する（ステップＴ１８）。フェムトセル１００は、フェムトセル通信端末３００から切断要求を受けると、測定端末４００にマクロセル２００へ接続するよう指示し、マクロセル２００との通信を開始させる（ステップＴ１９）。接続開始指示を受けた測定端末４００は、マクロセル２００に接続し（ステップＴ２０）、測定端末４００とマクロセル２００とで通信が確立される（ステップＰ１５）。また、フェムトセル通信端末３００は、待ち受け状態となる（ステップＰ１４）。この状態で、フェムトセル１００は、測定端末４００を制御して、測定端末４００とマクロセル２００との間の無線通信に関する状態を計測させるとともに、測定端末４００によって計測された無線情報を、第２無線情報として取得する（無線状態計測Ｂ、ステップＳ３４）。すなわち、測定端末４００は、マクロセル２００との間の無線状態を、フェムトセル１００に定期的に報告する（無線情報報告ステップＴ２１，Ｔ２２）。その後、タイマが満了すると、フェムトセル１００の制御部１１０は、測定端末４００に、マクロセル２００からの切断を指示する（ステップＴ２３）。切断指示を受けた測定端末４００は、マクロセル２００との間の通信を切断し（ステップＴ２４）、待ち受け状態となる（ステップＰ１６）。その後、フェムトセル１００は、干渉の有無を判定し（図７のステップＳ３７）、干渉があると判定された場合は、干渉回避処理を行なう（図７のステップＳ３８）。
【００４５】
上述のように、本発明によれば、フェムトセルが、マクロセルとの通信を行なう無線通信端末から、マクロセルと無線通信端末との間の無線通信の状態を取得することができる。従って、フェムトセルがマクロセルとマクロセルと通信中の無線通信端末との間に及ぼす影響を、またはフェムトセルと通信中の無線通信端末がマクロセルとマクロセルと通信中の無線通信端末との間に及ぼす影響を、マクロセルとの間の無線通信の状態がどのように変化したかを、フェムトセル自体が実際に得ることにより判断できる。従って、従来技術と比べ、より周囲環境に即したフェムトセルの制御が可能となる。
【００４６】
なお、上述の実施例では、無線状態の計測を行なう期間をタイマによって定めているが、本発明はこれに限られるものではなく、フェムトセル通信端末３００からの切断要求又は接続要求があるまで計測を継続させてもよい。なお、マクロセル配置が頻繁に変わることはないため、上述のようなフェムトセルによる干渉回避処理は、フェムトセルの初期設定時、すなわち設置時に行ない、干渉回避処理によって設定されたフェムトセル及びフェムトセル通信端末の送信電力及び動作周波数によって、その後の運営を行なえばよい。そして、新たなマクロセルの設置がサーバから報知された場合や、フェムトセル自体の設置位置が変更された場合、ユーザ操作に基づく場合などに、新たに、上述の干渉回避処理を行なえばよい。あるいは、週に一度、月に一度のように、周期的に行ってもよい。
【００４７】
本発明を諸図面や実施例に基づき説明してきたが、当業者であれば本開示に基づき種々の変形や修正を行なうことが容易であることに注意されたい。従って、これらの変形や修正は本発明の範囲に含まれることに留意されたい。例えば、各部、各ステップなどに含まれる機能などは論理的に矛盾しないように再配置可能であり、複数の構成部やステップなどを１つに組み合わせたり、或いは分割したりすることが可能である。例えば、上述の実施例では、測定端末４００とフェムトセル１００とを有線で接続する態様を説明したが、本発明はこれに限らず、無線で接続してもよい。
【符号の説明】
【００４８】
１００  基地局（フェムトセル）
１１０  制御部
１２０  増幅部
１３０  ＲＦ信号処理部
１４０  変調部
１５０  ＧＰＳインタフェース
１６０  ＬＡＮインタフェース
１７０  測定端末端末接続部
２００  公衆基地局（マクロセル）
３００  フェムトセル通信端末（無線通信端末）
４００  測定端末（無線通信端末）
４１０  制御部
４２０  増幅部
４３０  ＲＦ信号処理部
４４０  変調部
４５０  入力部
４６０  フェムトセル接続部
５００  マクロセル通信端末
ＡＮＴ１，ＡＮＴ２，ＡＮＴ３  アンテナ
ＭＩＣ  マイク
ＳＰ  スピーカ
【図１】
2010177922.tif 000005
【図２】
2010177922.tif 000006
【図３】
2010177922.tif 000007
【図４】
2010177922.tif 000008
【図５】
2010177922.tif 000009
【図６】
2010177922.tif 000010
【図７】
2010177922.tif 000011
【図８】
2010177922.tif 000012
【図９】
2010177922.tif 000013
【図１０】
2010177922.tif 000014